(57)【要約】【課題】液晶表示装置における表示画像の応答性向上【解決手段】複数の液晶画素が行列配置された画素アレイにおける液晶画素の全部又は一部は、液晶セルギャップが互いに異なる複数の液晶領域と、複数の液晶領域のそれぞれの液晶セルを駆動する複数の画素回路部とを有する領域分割画素として構成する。セルギャップが短い液晶領域で応答性のよい表示を実行できるようにする。【選択図】図３
2013190516.tif 000002
【特許請求の範囲】
【請求項１】
複数の液晶画素が行列配置された画素アレイを有し、
上記液晶画素の全部又は一部は、
液晶セルギャップが互いに異なる複数の液晶領域と、
上記複数の液晶領域のそれぞれの液晶セルを駆動する複数の画素回路部と、
を有する領域分割画素とされている液晶表示装置。
【請求項２】
上記領域分割画素は、
上記複数の液晶領域として、液晶セルギャップが第１のギャップ長とされた第１の液晶領域と、液晶セルギャップが上記第１の液晶領域よりも長い第２のギャップ長とされた第２の液晶領域とが設けられ、
上記複数の画素回路部として、上記第１の液晶領域の液晶セルを駆動する第１の画素回路部と、上記第２の液晶領域の液晶セルを駆動する第２の画素回路部とを有する請求項１に記載の液晶表示装置。
【請求項３】
上記画素回路部は、
走査線により供給される走査パルスに応じて、信号線からの画素信号の入力を行うトランジスタ素子と、
上記トランジスタ素子を介して画素信号が供給される画素電極と、
を有し、
上記領域分割画素における上記複数の画素回路部のそれぞれのトランジスタ素子に対しては、共通の走査線により走査パルスが与えられ、
上記領域分割画素における上記複数の画素回路部のそれぞれのトランジスタ素子は、異なる信号線からの画素信号を入力する請求項１に記載の液晶表示装置。
【請求項４】
上記領域分割画素の上記複数の画素回路部のうちの一の画素回路部に対しては、対応する液晶領域が表示画像の形成画素として駆動される有効画素信号を一の信号線により供給し、他の画素回路部に対しては、対応する液晶領域が非表示状態に駆動される非表示用画素信号を他の信号線により供給する信号線ドライバを備えた請求項１に記載の液晶表示装置。
【請求項５】
表示画像データを、表示内容毎の複数の画像データとして処理し、画素毎にいずれかの画像データの画素データを選択し、該選択に応じて、上記領域分割画素毎の上記複数の信号線に対する上記有効画素信号と上記非表示用画素信号の出力を、上記信号線ドライバに実行させる制御部を備えた請求項４に記載の液晶表示装置。
【請求項６】
上記画素回路部は、
走査線により供給される走査パルスに応じて、信号線からの画素信号の入力を行うトランジスタ素子と、
上記トランジスタ素子を介して画素信号が供給される画素電極と、
を有し、
上記領域分割画素における上記第１、第２の画素回路部のそれぞれのトランジスタ素子に対しては、共通の走査線により走査パルスが与えられ、
上記領域分割画素における上記第１の画素回路部のトランジスタ素子は、第１の信号線からの画素信号を入力し、
上記領域分割画素における上記第２の画素回路部のトランジスタ素子は、第２の信号線からの画素信号を入力する請求項２に記載の液晶表示装置。
【請求項７】
上記領域分割画素の上記第１、第２の画素回路部のうちの一方に対しては、上記第１、第２の信号線のうちの一方により、対応する液晶領域が表示画像の形成画素として駆動される有効画素信号を供給し、上記第１、第２の画素回路部のうちの他方に対しては、上記第１、第２の信号線のうちの他方により、対応する液晶領域が非表示状態に駆動される非表示用画素信号を供給する信号線ドライバを備えた請求項６に記載の液晶表示装置。
【請求項８】
表示画像データを、背景画像データと動的画像データとして処理し、画素毎に背景画像データと動的画像データのいずれかの画像データの画素データを選択し、
上記動的画像データの画素データが選択された画素については、上記信号線ドライバに、対応する領域分割画素に対して上記第１の信号線で、選択された画素データに基づく上記有効画素信号を出力させるとともに、上記第２の信号線で、上記非表示用画素信号を出力させ、
上記背景画像データの画素データが選択された画素については、上記信号線ドライバに、対応する領域分割画素に対して上記第１の信号線で、上記非表示用画素信号を出力させるとともに、上記第２の信号線で、選択された画素データに基づく上記有効画素信号を出力させる表示駆動制御部を備えた請求項７に記載の液晶表示装置。
【請求項９】
複数の液晶画素が行列配置された画素アレイを有し、
上記液晶画素の全部又は一部は、
液晶セルギャップが互いに異なる複数の液晶領域と、上記複数の液晶領域のそれぞれの液晶セルを駆動する複数の画素回路部と、を有する領域分割画素とされ、
上記画素回路部は、走査線により供給される走査パルスに応じて、信号線からの画素信号の入力を行うトランジスタ素子と、上記トランジスタ素子を介して画素信号が供給される画素電極とを有している液晶表示装置の表示駆動方法として、
上記領域分割画素における上記複数の画素回路部のそれぞれのトランジスタ素子に対しては、共通の走査線により走査パルスを与え、
上記領域分割画素における上記複数の画素回路部のそれぞれのトランジスタ素子に、異なる信号線からの画素信号を入力させる表示駆動方法。
【請求項１０】
表示装置を備え、
上記表示装置は、
複数の液晶画素が行列配置された画素アレイを有し、
上記液晶画素の全部又は一部は、
液晶セルギャップが互いに異なる複数の液晶領域と、
上記複数の液晶領域のそれぞれの液晶セルを駆動する複数の画素回路部と、
を有する領域分割画素とされた液晶表示装置である電子機器。
【発明の詳細な説明】
【技術分野】
【０００１】
本開示は液晶表示装置とその表示駆動方法、及び液晶表示装置を有する電子機器に関する。
【先行技術文献】
【特許文献】
【０００２】
【特許文献１】特開２０１１−２３７８３６号公報
【特許文献２】特開２０１１−１８６２７９号公報
【特許文献３】特開２０１１−１６４６６１号公報
【背景技術】
【０００３】
上記特許文献には液晶表示装置に関する技術が開示されている。
液晶表示装置は、テレビジョン受像器、端末用モニタ装置、携帯機器などで広く用いられているが、特に低温下でも表示画像の応答性高速化が求められる用途でも用いられている。例えば自動車におけるフロントパネルのメータ表示などである。
【発明の概要】
【発明が解決しようとする課題】
【０００４】
液晶表示装置では、特に低温環境での液晶の応答性が低下することが知られている。液晶分子の動きは低温下で反応が鈍るため、自動車のメータ表示などとして低温環境において使用される場合、表示上のメータの針の動きがスムースでないような現象が現れることがある。このため、温度状況によらず、応答性のよい表示をできるようにすることが求められている。
【課題を解決するための手段】
【０００５】
本開示の液晶表示装置は、複数の液晶画素が行列配置された画素アレイを有し、上記液晶画素の全部又は一部は、液晶セルギャップが互いに異なる複数の液晶領域と、上記複数の液晶領域のそれぞれの液晶セルを駆動する複数の画素回路部とを有する領域分割画素とされている。
本開示の電子機器はこのような液晶表示装置を備える。
【０００６】
本開示の表示駆動方法は、複数の液晶画素が行列配置された画素アレイを有し、上記液晶画素の全部又は一部は、液晶セルギャップが互いに異なる複数の液晶領域と、上記複数の液晶領域のそれぞれの液晶セルを駆動する複数の画素回路部と、を有する領域分割画素とされ、上記画素回路部は、走査線により供給される走査パルスに応じて、信号線からの画素信号の入力を行うトランジスタ素子と、上記トランジスタ素子を介して画素信号が供給される画素電極とを有している液晶表示装置の表示駆動方法である。そして上記領域分割画素における上記複数の画素回路部のそれぞれのトランジスタ素子に対しては、共通の走査線により走査パルスを与え、上記領域分割画素における上記複数の画素回路部のそれぞれのトランジスタ素子に、異なる信号線からの画素信号を入力させる。
【０００７】
上記のような液晶表示装置では、１つの画素（領域分割画素）に、液晶セルギャップが異なる複数の液晶領域が設けられている。液晶セルギャップが短い程、液晶分子の応答速度は高速化する。
液晶セルギャップ長が異なる複数の液晶領域が設けられているということは、セルギャップの狭い方の液晶領域は、応答速度の速い液晶領域となる。つまり、応答速度の速い液晶領域を利用した応答性のよい表示を実行できる。一方でセルギャップの広い液晶領域は高透過率として機能する。
上記表示駆動方法では、領域分割画素における複数の画素回路部のそれぞれのトランジスタ素子に対しては、共通の走査線により走査パルスを与えながら、異なる信号線からの画素信号を入力させる。これのため各画素について、各液晶領域を使い分けて表示画素とすることができる。例えば表示画像が、動きの少ない背景部分と、動きの速い部分とからなる場合、背景部分を表示する画素では、セルギャップの広い液晶領域を用い、動きの速い部分を表示する画素ではセルギャップの狭い液晶領域を用いるなどが可能となる。
【発明の効果】
【０００８】
本開示によれば、応答速度の速い液晶領域を利用して応答性のよい表示を実現できる。これにより例えば低温環境などでも表示品質の高い表示が可能となる。
【図面の簡単な説明】
【０００９】
【図１】本開示の実施の形態の液晶表示装置のブロック図である。
【図２】実施の形態の領域分割画素の画素回路部の等価回路図である。
【図３】実施の形態の領域分割画素の画素回路部の構成の説明図である。
【図４】実施の形態の領域分割画素の断面の模式的な説明図である。
【図５】実施の形態の表示内容の例の説明図である。
【図６】実施の形態のコントローラ及び信号線ドライバの駆動構成の説明図である。
【図７】実施の形態のコントローラの画素データ選択／出力処理のフローチャートである。
【図８】実施の形態の変形例の領域分割画素の構成の説明図である。
【図９】実施の形態の変形例の領域分割画素の配置部の説明図である。
【図１０】実施の形態の適用例の電子機器の説明図である。
【図１１】実施の形態の適用例の電子機器の説明図である。
【図１２】実施の形態の適用例の電子機器の説明図である。
【発明を実施するための形態】
【００１０】
以下、実施の形態を次の順序で説明する。
＜１．表示装置構成＞
＜２．領域分割画素の構成＞
＜３．表示駆動動作＞
＜４．変形例、適用例＞
【００１１】
＜１．表示装置構成＞
実施の形態としての液晶表示装置の構成を図１で説明する。
この液晶表示装置は、アクティブマトリクス方式の表示装置の一例であり、図１に示すようにコントローラ１、信号線ドライバ２、走査線ドライバ３、画素アレイ４を有する。
【００１２】
画素アレイ４は、書き込まれた画素信号に応じて表示階調が制御される複数の画素１０が行方向及び列方向に配置されて成る。
図において画素１０には、「Ｒ」「Ｇ」「Ｂ」の符号を付しているが、これはＲ（赤）画素、Ｇ（緑）画素、Ｂ（青）画素を示している。Ｒ画素、Ｇ画素、Ｂ画素に対応しては、ここでは図示していないが、Ｒ、Ｇ、Ｂの各カラーフィルタが配置される。サブピクセルとしてのＲ画素、Ｇ画素、Ｂ画素が例えば図示のように配列されることでカラー表示画面を構成する。
画素１０は、カラー画素単位でいえばｎ×ｍ個配置されｎ行ｍ列のマトリクスを構成する。サブピクセル単位で言えば画素１０はｎ×３ｍ個配置されｎ行３ｍ列のマトリクスを構成する。
なお、説明上、画素１０とは、サブピクセルを指すこととする。
また、ここではＲ画素、Ｇ画素、Ｂ画素の３原色画素構成としているが、例えばＲ画素、Ｇ画素、Ｂ画素に加えてＷ（白）画素を設ける場合もある。
【００１３】
画素アレイ４に対しては、各ラインの画素１０に対応して、走査線ＧＬ（ＧＬ＿１〜ＧＬ＿ｎ）が配設される。
【００１４】
また本例では、後述するように１つの画素１０は、２つの液晶領域（後述する第１，第２の液晶領域ＡＲ１，ＡＲ２）に分割されている。これに対応して、各列の画素１０に対して、２つの信号線が設けられている。即ち第１の信号線ＳＬｆ、第２の信号線ＳＬｓが、各列に対して配設される。
第１の信号線ＳＬｆは、画素１０の第１の液晶領域ＡＲ１についての画素信号を供給する信号線とされる。また第２の信号線ＳＬｓは、画素１０の第２の液晶領域ＡＲ２についての画素信号を供給する信号線とされる。
【００１５】
Ｒ画素の画素列に対しては、信号線ＳＬｆとして、信号線ＳＬｆ＿１Ｒ、ＳＬｆ＿２Ｒ・・・と、信号線ＳＬｓとして信号線ＳＬｓ＿１Ｒ、ＳＬｓ＿２Ｒ・・・が設けられる。
Ｇ画素の画素列に対しては、信号線ＳＬｆとして、信号線ＳＬｆ＿１Ｇ、ＳＬｆ＿２Ｇ・・・と、信号線ＳＬｓとして信号線ＳＬｓ＿１Ｇ、ＳＬｓ＿２Ｇ・・・が設けられる。
Ｂ画素の画素列に対しては、信号線ＳＬｆとして、信号線ＳＬｆ＿１Ｂ、ＳＬｆ＿２Ｂ・・・ＳＬｆ＿ｍＢと、信号線ＳＬｓとして信号線ＳＬｓ＿１Ｂ、ＳＬｓ＿２Ｂ・・・ＳＬｓ＿ｍＢが設けられる。
【００１６】
本例では、１つの画素１０は、２つの液晶領域（液晶領域ＡＲ１，ＡＲ２）に分割された領域分割画素とされている。例えば画素アレイ４上の全ての画素１０が、以下のような領域分割画素となっている。
図２に画素１０の等価回路を示し、走査線ＧＬ、信号線ＳＬｆ、ＳＬｓとの関係を説明する。図２は、画素アレイ４における４つの画素１０の部分を示している。
各画素１０は、例えばＮチャネルＴＦＴ（薄膜トランジスタ）による画素トランジスタＴｒ１、Ｔｒ２と、液晶セルＬＣ１，ＬＣ２とを有して構成される。
液晶セルＬＣ１、ＬＣ２に対しては、後に図４、図５で説明するが、それぞれ画素電極と共通電極が設けられている。
【００１７】
画素トランジスタＴｒ１と、液晶セルＬＣ１を構成する電極（画素電極と共通電極）で液晶領域ＡＲ１としての液晶分子を駆動する第１の画素回路部が形成される。また、画素トランジスタＴｒ２と、液晶セルＬＣ２を構成する電極（画素電極と共通電極）で液晶領域ＡＲ２としての液晶分子を駆動する第２の画素回路部が形成される。
例えば液晶領域ＡＲ１は高応答性領域、液晶領域ＡＲ２は通常領域とされる。
【００１８】
画素トランジスタＴｒ１は、ゲート電極（制御端子）が走査線ＧＬと接続され、ソース電極・ドレイン電極の一方（入力端子）が信号線ＳＬｆと接続される。
液晶セルＬＣ１は、その画素電極が画素トランジスタＴｒ１のソース電極・ドレイン電極の他方（出力端子）と接続され、共通電極が、図１では図示を省略した共通電極線ＣＯＭＬに接続されている。
また画素トランジスタＴｒ２は、ゲート電極が、画素トランジスタＴｒ１と同じ走査線ＧＬと接続されている。一方で、画素トランジスタＴｒ２のソース電極・ドレイン電極の一方（入力端子）は信号線ＳＬｓと接続される。
液晶セルＬＣ２は、その画素電極が画素トランジスタＴｒ２のソース電極・ドレイン電極の他方（出力端子）と接続され、共通電極が、共通電極線ＣＯＭＬに接続されている。
【００１９】
図１に戻って、走査線ＧＬは、走査線ドライバ３によって線順次駆動される。
走査線ドライバ３は、垂直スタートパルスＶＳＴのタイミングで開始される１フレーム期間において、垂直クロックＶＣＫのタイミング毎に、各走査線ＧＬ＿１〜ＧＬ＿ｎを順次駆動する。
信号線ＳＬｆ、ＳＬｓには、信号線ドライバ２により画素信号（階調信号）が印加される。
信号線ドライバ２は、垂直クロックＶＣＫで規定される１ライン期間毎に、画素アレイ４に配設された複数の信号線ＳＬｆ、ＳＬｓに対し、各画素１０に対する画素信号を出力する。
各画素１０では、走査線ＧＬに与えられた走査パルスのタイミングで、信号線ＳＬｆ、ＳＬｓに出力された画素信号の書込を実行する。つまり、１つの画素１０に注目すると、走査線ＧＬに与えられた走査パルスのタイミングで、液晶領域ＡＲ１に対応する第１の画素回路部には信号線ＳＬｆから画素信号が入力され、その画素信号に応じて液晶セルＬＣ１が駆動される。また同タイミングで、液晶領域ＡＲ２に対応する第２の画素回路部には信号線ＳＬｓから画素信号が入力され、その画素信号に応じて液晶セルＬＣ２が駆動されることとなる。
【００２０】
画素１０では、このように液晶領域ＡＲ１，ＡＲ２毎の画素信号書込が行われるが、この点を無視して述べれば、通常の液晶表示装置と同様、走査線ＧＬに走査パルス信号を供給することでその走査線ＧＬが共通に配線された画素１０、すなわち或る水平ライン上の画素１０を選択でき、該選択状態にて信号線ドライバ２が信号線ＳＬ（ＳＬｆ、ＳＬｓ）を介した画素信号の電圧供給を行うことで、該水平ライン上の各々の画素１０に対応する画素信号（階調値）の書き込みができる。
このような走査線ＧＬによる水平ラインの選択と信号線ＳＬを介した画素信号の書き込みを水平ライン順次に行うことで、所要の画像表示を行うことができる。
【００２１】
コントローラ１は表示駆動制御部として動作する。コントローラ１は、外部より供給された映像信号について、画素アレイ４での表示を実行させるため、垂直クロックＶＣＫ、水平クロックＨＣＫを用いて、信号線ドライバ２及び走査線ドライバ３を制御し、これらが互いに同期して動作するように制御する。
コントローラ１は、垂直クロックＶＣＫを用いて垂直スタートパルスＶＳＴを生成し、走査線ドライバ３及び信号線ドライバ２に供給する。
【００２２】
走査線ドライバ３は、垂直スタートパルスＶＳＴと垂直クロックＶＣＫに基づいて、各走査線ＧＬ＿１〜ＧＬ＿ｎに対して走査パルスを出力する。
走査線ドライバ３には垂直スタートパルスＶＳＴを垂直クロックＶＣＫのタイミングで順次転送するシフトレジスタが設けられる。これにより、垂直スタートパルスのタイミングを起点として、走査線ＧＬ＿１、ＧＬ＿２・・・ＧＬ＿ｎに、順次操作パルスを出力する。これによって画素アレイ４では、第１ライン目の画素１０から第ｎライン目の画素までが、順次垂直クロックＶＣＫのタイミング毎に、上述した選択状態となる。
【００２３】
信号線ドライバ２は、コントローラ１の制御に基づいて、信号線ＳＬｆ，ＳＬｓに対して画素信号を出力する。
基本的には、コントローラから供給される画素データ（後述するＶｆ、Ｖｓ）に基づいて、１ライン単位の画素信号を、垂直スタートパルスＶＳＴを起点として、垂直クロックＶＣＫのタイミング毎に各信号線ＳＬｆ，ＳＬｓに出力する。
このような動作により、１フレーム期間に、第１ライン目の画素１０から第ｎライン目の画素まで、順次画素信号が書き込まれていき、それによって各画素の階調（液晶セルの光透過率）が設定される。これによって図示していないバックライトからの光が各画素１０で輝度制御され、さらに図示しないカラーフィルタを介することで、カラー映像表示が実行される。
【００２４】
但し本例の場合、信号線ドライバ２は、画素１０の第１の画素回路部と第２の画素回路部の一方に対しては、対応する液晶領域が表示画像の形成画素として駆動される有効画素信号を信号線ＳＬｆ，ＳＬｓの一方により供給し、他方の画素回路部に対しては、対応する液晶領域が非表示状態に駆動される非表示用画素信号を他方の信号線により供給する。
またコントローラ１は、表示画像データを、表示内容毎の複数の画像データ（ＶＭ、ＶＢ）として取り込み、画素毎にいずれかの画像データの画素データを選択する。そして選択に応じて、画素１０毎の複数の信号線ＳＬｆ，ＳＬｓに対する有効画素信号と非表示用画素信号の出力を、信号線ドライバ２に実行させる。
このような動作については後述する。
【００２５】
＜２．領域分割画素の構成＞
上述のように画素アレイ４における全画素１０は、領域分割画素とされている。ここでは領域分割画素としての構成を説明していく。
なお本例では、フリンジフィールドスイッチング（Fringe field switching：ＦＦＳ）モードで液晶分子を駆動する液晶表示装置の構造としての例とする。
横電界モードの液晶表示装置は、広視野角、高コントラストを実現する液晶モードとして注目されている。このうち特に、フリンジフィールドスイッチング（Fringe field switching：ＦＦＳ）モードは、インプレーンスイッチング（In-Plane-Switching：ＩＰＳ）モードと比較して、開口率および透過率の改善が図られている。
【００２６】
図３は図１に示した画素アレイ４において一部の画素１０の部分を示している。
図４は図３におけるＡ−Ａ断面の構造を模式的に示したものである。
先に図１，図２で説明したように、信号線ＳＬｆ、ＳＬｓ、ゲート線ＧＬの配線に対して、画素１０が形成される。
図３では、画素１０としては、画素電極２９−１、２９−２と、画素トランジスタＴｒ１、Ｔｒ２を示している。
画素トランジスタＴｒ１、Ｔｒ２は共通の走査線ＧＬに接続される。
また画素トランジスタＴｒ１のソース・ドレインは、信号線ＳＬｆと画素電極２９−１に接続され、画素トランジスタＴｒ２のソース・ドレインは、信号線ＳＬｓと画素電極２９−２に接続される。これは図２の等価回路で説明したとおりである。
画素電極２９−１に対応する液晶分子封入領域が液晶領域ＡＲ１となり、画素電極２９−２に対応する液晶分子封入領域が液晶領域ＡＲ２となる。
【００２７】
画素１０の部分に注目して、液晶表示装置の断面構造を図４で説明する。
液晶表示装置は、可視光に対して光透過性を有する第１基板２０、第２基板３０の間に、液晶層４０が設けられる構成となる。
【００２８】
第１基板２０上にはゲート絶縁膜２１が設けられる。走査線ＧＬは、ゲート絶縁膜２１に覆われるように水平方向に配設されている。
そして走査線ＧＬに対して上部に、半導体膜２８を介して例えばＰｏ−Ｓｉによる電極パターン（ソース電極２６，ドレイン電極２７）が形成される。このソース電極２６，ドレイン電極２７に加え、走査線ＧＬがゲートとなって、図２，図３に示した画素トランジスタＴｒ１又はＴｒ２が形成される。
また図４のＡ−Ａ断面では見られないが、ゲート絶縁膜２１上には、複数の信号線ＳＬｆ、ＳＬｓが、走査線ＧＬと交差する垂直方向に配線されている。信号線ＳＬｆ、ＳＬｓはソース電極２６に接続される。
これらの走査線ＧＬおよび信号線ＳＬの各交差部に画素１０が形成されることになる。
【００２９】
また、以上のように画素トランジスタＴｒ１，Ｔｒ２や信号線ＳＬｆ、ＳＬｓを覆う状態で、ゲート絶縁膜２１上には層間絶縁膜の第１層目として第１絶縁膜２２が設けられている。この第１絶縁膜２２は、下層の信号線ＳＬｆ、ＳＬｓおよび画素トランジスタＴｒ１、Ｔｒ２のソース電極２６およびドレイン電極２７と、上層との絶縁性を確実に図ることが可能な膜厚を備えている。
【００３０】
この第１絶縁膜２２上には、各画素に共通の例えばベタ膜状に透明導電性材料（例えばＩＴＯ、ＩＺＯ等）からなる共通電極２３が設けられている。
そして、共通電極２３上には、層間絶縁膜の第２層目として第２絶縁膜２４が設けられている。この第２絶縁膜２４は、液晶層４０を構成する液晶分子ｍの駆動特性を良好に得るために、膜厚均一性が確保された薄膜状とされる。
【００３１】
このような第２絶縁膜２４上には、画素１０毎に画素電極２９−１、２９−２が設けられる。またこれにより、画素１０には、共通電極２３と画素電極２９−１、２９−２との間に、第２絶縁膜２４を誘電体として挟持してなる容量素子Ｃが設けられることになる。
【００３２】
画素電極２９−１、２９−２は、透明導電性材料（例えばＩＴＯ、ＩＺＯ等）からなる。そして画素電極２９−１、２９−２はそれぞれ、コンタクトホールＨを介して、画素トランジスタＴｒ１、Ｔｒ２を構成するドレイン電極２７に接続されている。
これにより、走査線ＧＬに入力する走査パルスによって画素トランジスタＴｒ１，Ｔｒ２が選択され、選択された画素トランジスタＴｒ１を介して信号線ＳＬｆから書き込まれた画素信号が画素電極２９−１に供給され、共通電極２３−画素電極２９−１間の容量素子Ｃに保持される構成となっている。
さらに画素トランジスタＴｒ２が選択され、選択された画素トランジスタＴｒ２を介して信号線ＳＬｓから書き込まれた画素信号が画素電極２９−２に供給され、共通電極２３−画素電極２９−２間の容量素子Ｃに保持される。
【００３３】
そして以上のような画素電極２９−１、２９−２が設けられた第１基板２０上に、配向膜２５が設けられ、駆動側の第１基板２０の上部が構成されている。
【００３４】
このような第１基板２０に対して、第２基板３０が対向配置されている。第２基板３０は光透過性材料からなり、画素電極２９−１、２９−２に向かう面上には、カラーフィルタ３２が形成される。
カラーフィルタ３２においては、Ｒ画素に対応する位置に赤色フィルタ、Ｇ画素に対応する位置に緑色フィルタ、Ｂ画素に対応する位置に青色フィルタが形成されている。この図４は１つの画素１０の範囲の断面図であるが、例えばこの画素１０がＲ画素であるとすると、図示するカラーフィルタ３２は赤色フィルタとなる。
なお、図ではカラーフィルタ３２に破線を入れ、カラーフィルタ３２−１、３２−１に分けて示しているが、カラーフィルタ３２は必ずしも破線部分で分割したものではなくてもよい。カラーフィルタ３２をカラーフィルタ３２−１、３２−１に分割する場合については後述する。
【００３５】
また走査線ＧＬや画素トランジスタＴｒ１，Ｔｒ２、さらには信号線ＳＬの配置位置に相当する位置には、遮光膜３３が形成されている。遮光膜３３は画素１０としての表示に有効部分以外（表示に寄与しない部分）を遮光するブラックマトリクスとして形成される。
【００３６】
ここでカラーフィルタ３２における画素電極２９−１に対向する部分（図ではカラーフィルタ３２−１として示す範囲）には透過膜４５が形成される。透過膜４５は例えば樹脂によるトップコートとしてカラーフィルタ層上に形成される。
そして、このようにカラーフィルタ３２、遮光膜３３、透過膜４５が設けられた面上には配向膜３１が設けられている。そして、第１基板２０の配向膜２５と第２基板３０の配向膜３１の間に、液晶ｍが封入された液晶層４０が形成される。
【００３７】
また第１基板２０および第２基板３０の外側には、偏光板４１，４３が配置される。なお図示していないが、第１基板２０側の偏光板４１の外側にはバックライトが配置される。
このような液晶表示装置における光学構成は、一般的なＦＦＳモードの液晶表示装置と同様であって良い。
【００３８】
このような構成において、画素電極２９−１と透過膜４５が設けられている部分が、液晶セルＬＣ１による液晶領域ＡＲ１となり、また画素電極２９−２が設けられている部分が液晶セルＬＣ２による液晶領域ＡＲ２となる。
そして図からわかるように、透過膜４５が形成されることで、液晶領域ＡＲ１の液晶セルギャップのギャップＣＧ１は、液晶領域ＡＲ２の液晶セルギャップのギャップＣＧ２よりも狭くなっている。
液晶セルギャップが短い程、液晶分子の応答速度は高速化する。具体的には液晶セルギャップの二乗に比例して応答速度は遅くなる関係にあるため、液晶セルギャップを狭くすることは、応答性の高速化に有効である。
従って液晶領域ＡＲ１では、液晶領域ＡＲ２に比較して、液晶分子の応答速度は速く、画像内容として動きの速い画像部分の表示に適した領域となる。
【００３９】
この液晶表示装置においては、上述したように走査線ＧＬに入力する走査パルスによって画素トランジスタＴｒ１、Ｔｒ２を選択することにより、選択した画素トランジスタＴｒ１、Ｔｒ２を介して信号線ＳＬｆ、ＳＬｓから書き込まれた画素信号が、共通電極２９−１，２９−２と画素電極１１間の容量素子Ｃに保持されると共に画素電極２９−１，２９−２に供給される。
これにより、共通電極２３と画素電極２９−１との間に電位差が与えられ、第１基板２０に対して平行な電界が発生し、液晶領域ＡＲ１の液晶分子ｍを駆動させることにより、液晶領域ＡＲ１での光学変調が行われる。
同様に共通電極２３と画素電極２９−２との間に電位差が与えられ、第１基板２０に対して平行な電界が発生し液晶領域ＡＲ２の液晶分子ｍを駆動させることにより液晶領域ＡＲ２での光学変調が行われる。
この光学変調の応答性は、液晶領域ＡＲ１は、より高速となる。
【００４０】
従って本実施の形態の液晶表示装置では、応答速度の速い液晶領域ＡＲ１を利用した応答性のよい表示を実行できる。
例えば低温環境下において液晶分子の応答速度が低下する状況にあっても、液晶領域ＡＲ１では、視認上、十分な応答性の表示が可能となる。
一方で広い液晶セルギャップＣＧ２の液晶領域ＡＲ２は応答速度は通常であるが、透過膜４５が設けられず、高透過率領域として機能する。この液晶領域ＡＲ２は、光透過により表示輝度として有利となる。液晶領域ＡＲ１が液晶セルギャップが狭く、透過率が低下してしまうので、液晶領域ＡＲ２として液晶セルギャップが広い領域を作ることで、透過率の低下分を補うことができる。
【００４１】
このような画素構造を備えた液晶表示装置では、例えば液晶領域ＡＲ１に対する画素回路部（画素電極２９−１及び画素トランジスタＴｒ１）には、応答速度が必要な動的画像を表示するための画素信号を入力する。例えばメータ表示の針部分の画像の表示のための画素信号である。
それ以外の画像、例えばメータ表示の背景画像を表示するための画素信号は、液晶領域ＡＲ２に対する画素回路部（画素電極２９−２及び画素トランジスタＴｒ２）に入力する。
具体的には、画素アレイ４における各画素１０において、背景表示を行う画素１０については、液晶領域ＡＲ２を用いる。また針の部分の表示を行う画素１０については、液晶領域ＡＲ１を用いるようにすることが想定される。
これにより、上述のように応答性のよい表示、さらには低温環境下でも十分な応答性の表示として、メータの針の動きをユーザに提供でき、また背景画像については、液晶領域ＡＲ２を利用することで、画像全体の輝度低下を避けることができる。
【００４２】
なお、高開口率化という観点から言えば補助容量を用いないＦＦＳ型の液晶表示装置が有利である。
また、本例のように液晶領域ＡＲ１，ＡＲ２に分割せず、単純に液晶層４０の全体の液晶セルギャップを狭くすれば、応答性は向上できる。しかしながら、液晶セルギャップを狭くすることは、製造工程上難しく、製造歩留まりが大きく悪化するという事情がある。これに比べて、液晶セルギャップＣＧ２は歩留まりのよい範囲で通常のギャップ長とし、透過膜４５のトップコートにより、液晶セルギャップＣＧ１の領域を作成することは、製造上さほど困難ではない。このため、本例の液晶表示装置は、製造歩留まりを悪化させないで、応答性を向上できるという利点がある。
【００４３】
なお先に述べたように、液晶領域ＡＲ１，ＡＲ２に対応するカラーフィルタ３２は、特に分割しなくてよい。但し、図のカラーフィルタ３２−１、３２−２のように分割することも考えられる。
液晶領域ＡＲ１，ＡＲ２は透過率の違いにより表示上の色が多少異なる状態となる。この液晶領域ＡＲ１，ＡＲ２を同じ表示色にするには、カラーフィルタ３２−１、３２−２として分割したカラーフィルタを設け、透過率差に対応した色補正を行うことができるようにすればよい。
【００４４】
＜３．表示駆動動作＞
続いて、上記の画素構造の液晶表示装置における表示駆動動作を具体的に説明する。
例として図５Ａに示すような自動車のフロントパネル等でのメータ表示を挙げる。図１に示したコントローラ１は、例えば図５Ｂに示すメータの針部分の画像（動的画像データＶＭ）と、図５Ｃの背景部分の画像（背景画像データＶＢ）を外部（例えば当該液晶表示装置を搭載する機器の表示画像データ生成部等）から入力し、これに応じて表示駆動処理を行うものとする。
【００４５】
図６に、コントローラ１の領域分割画素の表示駆動制御のための構成と、信号線ドライバ２の構成例を示している。なお走査線ドライバ３の動作は上述したとおり、垂直スタートパルスＶＳＴのタイミングで開始される１フレーム期間において、垂直クロックＶＣＫのタイミング毎に、各走査線ＧＬ＿１〜ＧＬ＿ｎを順次駆動するものであり、ここでの図示及び説明は省略する。
【００４６】
コントローラ１には、領域分割画素に対応する表示駆動制御のための演算処理機能として、画素データ選択部７１と画素データ出力部７２が設けられる。これらは例えばソフトウエアで実現される演算機能とされればよい。
また信号線ドライバ２には、液晶領域ＡＲ１についての画素信号供給のための構成としてラインメモリ６１，分割画素信号生成部６３が設けられ、また液晶領域ＡＲ２についての画素信号供給のための構成としてラインメモリ６２，分割画素信号生成部６４が設けられる。
【００４７】
まずコントローラ１の処理について説明する。
コントローラ１の画素データ選択部７１には、表示画像データとして、例えば図５Ｂ、図５Ｃに示した動的画像データＶＭと背景画像データＶＢが入力される。
この動的画像データＶＭ、背景画像データＶＢは、１フレームの表示画像データを動的部分と背景部分に分けたものであり、動的画像データＶＭと背景画像データＶＢの１組で１フレームの画像を構成する。
例えば動的画像データＶＭは、図５Ｂのようにメータの針の画素に相当する部分に針の画像を形成する各画素の輝度値を有するデータであり、それ以外の画素部分は例えば黒レベルデータとされている。一方、背景画像データＶＢは、図５Ｃのようにメータの針を除いた背景画像を形成する各画素の輝度値のデータとされている。
コントローラ１の画素データ選択部７１では、１フレームを構成する画像データとして、各画素について、動的画像データＶＭと背景画像データＶＢのいずれかの画素データ値を選択する。
【００４８】
即ち、メータの針を表示する画素については、動的画像データＶＭの画素データ値（画素の輝度値）を選択して表示に用いる画素データＶｄとし、また背景を表示する画素については、背景画像データＶＢの画素データ値を選択して表示に用いる画素データＶｄとする。
そして画素データＶｄを、動的画像データＶＭと背景画像データＶＢのいずれの画素を選択したかを示す選択情報ＳＦとともに画素データ出力部７２に供給する。
【００４９】
なお、この例では画素データ選択部７１には１フレームの表示画像データとして、動的画像データＶＭと背景画像データＶＢが供給されるものとしたが、例えば通常に各フレームの画像データが供給され、画素データ選択部７１が、各フレームの画像データから動的画像データと背景画像データを分離するようにしてもよい。動的画像部分と背景画像部分の判定は、フレーム相関等を利用した画像解析で行うことができる。
或いは、動的画像領域となっている画素を指定する情報が外部（例えば当該液晶表示装置を搭載する機器の表示画像データ生成部等）から供給されれば、１フレームの表示画像データから動的画像データと背景画像データを分離できる。
【００５０】
画素データ選択部７１から画素データＶｄと選択情報ＳＦを受け取った画素データ出力部７２は、信号線ドライバ２が信号線ＳＬｆに出力する画素信号となる画素データＶｆと、信号線ＳＬｓに出力する画素信号となる画素データＶｓを生成し、信号線ドライバ２に供給する。
【００５１】
ここまでのコントローラ１の処理を図７に示す。図７の処理は、コントローラ１の画素データ選択部７１に１フレームの表示画像データとして、動的画像データＶＭと背景画像データＶＢが取り込まれた際の処理として示している。
表示画像データとしては順次フレームが入力されてくるが、入力されたフレーム毎に対応して、この図７の処理が行われる。
【００５２】
ステップＦ１０１として画素データ選択部７１は、動的画像データＶＭと背景画像データＶＢのうちの１つの画素データを確認する。
そしてステップＦ１０２で画素データ選択部７１は、現在確認している選択処理対象画素が、液晶領域ＡＲ１を使用する画素であるか否かを確認する。液晶領域ＡＲ１を使用する画素とは、動的画像データＶＭとして例えばメータの針の画像を構成する画素であり、液晶領域ＡＲ２を使用する画素とは、背景画像データＶＢの画像を構成する画素である。
この判定は、例えば動的画像データＶＭの画素データ値自体から可能である。例えば図５Ｂのように動的画像データＶＭが、針部分以外は黒レベルの画素データ値であるとすると、当該選択処理対象となっている動的画像データＶＭの画素データ値が、黒レベルの値であれば、当該画素は、背景画像データＶＢの画素データ値を選択するものとすればよい。逆に当該選択処理対象となっている動的画像データＶＭの画素データ値が、黒レベルの値でなければ、当該画素は、動的画像データＶＭの画素データ値を選択するものとすればよい。
【００５３】
選択処理対象の画素が、液晶領域ＡＲ１を使用する画素であった場合、画素データ選択部７１はステップＦ１０３の処理を行う。即ち画素データ出力部７２に受け渡す画素データＶｄとして、動的画像データＶＭ側の画素データを用いる。また選択情報ＳＦを、動的画像データＶＭ側を示す値（例えばＳＦ＝０）とする。この画素データＶｄ、選択情報ＳＦが画素データ出力部７２に供給される。
【００５４】
この場合、画素データ出力部７２はステップＦ１０４の処理を行う。つまり画素データ出力部７２は、上記のように選択された画素データＶｄを、信号線ドライバ２が信号線ＳＬｆ（つまり液晶領域ＡＲ１側）に出力する画素信号となる画素データＶｆとする。一方で、黒レベルのデータ値である画素データＶｂｋを信号線ＳＬｓ（つまり液晶領域ＡＲ２側）に出力する画素信号となる画素データＶｓとする。
そして画素データ出力部７２はステップＦ１０７でこれら画素データＶｆ、Ｖｓを信号線ドライバ２に供給する。
【００５５】
また、ステップＦ１０２において、選択処理対象の画素が、液晶領域ＡＲ２を使用する画素であった場合、画素データ選択部７１はステップＦ１０５の処理を行う。即ち画素データ出力部７２に受け渡す画素データＶｄとして、背景画像データＶＢ側の画素データを用いる。また選択情報ＳＦを、背景画像データＶＢを示す値（例えばＳＦ＝１）とする。この画素データＶｄ、選択情報ＳＦが画素データ出力部７２に供給される。
【００５６】
この場合、画素データ出力部７２はステップＦ１０６の処理を行う。つまり画素データ出力部７２は、上記のように選択された画素データＶｄを、信号線ドライバ２が信号線ＳＬｓ（液晶領域ＡＲ２側）に出力する画素信号となる画素データＶｆとする。一方で、黒レベルのデータ値である画素データＶｂｋを信号線ＳＬｆ（液晶領域ＡＲ１側）に出力する画素信号となる画素データＶｓとする。
そして画素データ出力部７２はステップＦ１０７でこれら画素データＶｆ、Ｖｓを信号線ドライバ２に供給する。
コントローラ１はステップＦ１０７を終えたらステップＦ１０１に戻り、次の画素を処理対象として、同様の処理を行う。
【００５７】
以上のようにコントローラ１は、入力された１フレームの表示画像データ（背景画像データＶＢと動的画像データＶＭ）について画素毎に図７の処理を行う。これにより、１フレームを構成する全ての画素データが動的画像データＶＭと背景画像データＶＢのうちから選択されて画素データＶｄとされる。この画素データＶｄが、画素データＶｆ又は画素データＶｓとして信号線ドライバ２に供給される。
この動作が、順次入力されるフレームについても同様に実行されていくこととなる。
【００５８】
信号線ドライバ２は、上記処理により供給される画素データＶｆを、順次ラインメモリ６１に取り込んでいく。また同時に、供給される画素データＶｓを、順次ラインメモリ６２に取り込んでいく。
ラインメモリ６１、６２は例えばシフトレジスタ構成とされる。例えばコントローラ１からの画素データＶｆ、Ｖｓが水平クロックＨＣＫタイミングで供給されるとすると、ラインメモリ６１、６２は、水平クロックＨＣＫを用いてデータ転送しながら画素データＶｆ、Ｖｓを取り込んでいく。
ラインメモリ６１、６２は、１ライン分の画素データＶｆ又は画素データＶｓが取り込まれた時点で、保持している画素データＶｆ、Ｖｓを分割画素信号生成部６３、６４に出力する。
即ちラインメモリ６１では、１ライン分の画素データＶｆを、垂直クロックＶＣＫのタイミングで分割画素信号生成部６３に転送する。分割画素信号生成部６３は、１ライン分の各画素データＶｆを、それぞれ画素信号としての電圧値に変換して、各信号線ＳＬｆ（ＳＬｆ＿１Ｒ・・・ＳＬｆ＿ｍＢ）に印加する。
またラインメモリ６２では、１ライン分の画素データＶｓを、垂直クロックＶＣＫのタイミングで分割画素信号生成部６４に転送する。分割画素信号生成部６４は、１ライン分の各画素データＶｓを、それぞれ画素信号としての電圧値に変換して、各信号線ＳＬｓ（ＳＬｓ＿１Ｒ・・・ＳＬｓ＿ｍＢ）に印加する。
【００５９】
走査線ドライバ３が１ライン毎に画素１０を選択状態とすることで、信号線ＳＬｆ、ＳＬｓに与えられた画素信号が、選択されたラインの画素１０に取り込まれることになる。
この場合に、分割画素信号生成部６３から各信号線ＳＬｆ（ＳＬｆ＿１Ｒ・・・ＳＬｆ＿ｍＢ）に印加される各画素信号のうち、メータの針の表示を行う画素１０に対する画素信号は、その画素１０の液晶領域ＡＲ１を表示画像の形成画素として駆動させる有効画素信号（画素データＶｄに基づく画素信号電圧（この場合は動的画像データＶＭの画素データ））であり、背景表示を行う画素１０に対する画素信号は、その画素１０の液晶領域ＡＲ１を非表示状態に駆動させる非表示用画素信号（黒レベルのデータ値である画素データＶｂｋに基づく画素信号電圧）となる。
また、分割画素信号生成部６４から各信号線ＳＬｓ（ＳＬｓ＿１Ｒ・・・ＳＬｓ＿ｍＢ）に印加される各画素信号のうち、メータの針の表示を行う画素１０に対する画素信号は、その画素１０の液晶領域ＡＲ２を非表示状態に駆動させる非表示用画素信号（黒レベルのデータ値である画素データＶｂｋに基づく画素信号電圧）であり、背景表示を行う画素１０に対する画素信号は、その画素１０の液晶領域ＡＲ２を、表示画像の形成画素として駆動させる有効画素信号（画素データＶｄ（この場合は背景画像データＶＢの画素データ）に基づく画素信号電圧）となる。
【００６０】
つまり信号線ドライバ２は、領域分割画素である各画素の液晶領域ＡＲ１，ＡＲ２に対応する２つの画素回路部のうちの一方に対しては、信号線ＳＬｆ、ＳＬｓのうちの一方により、対応する液晶領域が表示画像の形成画素として駆動される有効画素信号を供給し、他方の画素回路部には、対応する液晶領域が非表示状態に駆動される非表示用画素信号を供給することとなる。
【００６１】
以上のように本例の表示駆動動作では、コントローラ１は、入力された表示画像データ（背景画像データＶＢと動的画像データＶＭ）についてフレーム毎に図７の処理を行う。図７の処理では、画素毎に背景画像データＶＢと動的画像データＶＭのいずれかの画素データを選択する。
動的画像データＶＭの画素データが選択された画素については、信号線ドライバ２に、対応する画素１０に対して信号線ＳＬｆにより、選択された画素データＶｄに基づく有効画素信号を出力させるとともに、信号線ＳＬｓにより、画素データＶｂｋに基づく非表示用画素信号を出力させる。
また背景画像データＶＢの画素データが選択された画素については、信号線ドライバ２に、対応する画素１０に対して信号線ＳＬｆにより、画素データＶｂｋに基づく非表示用画素信号を出力させるとともに、信号線ＳＬｓで、選択された画素データＶｄに基づく有効画素信号を出力させるようにしている。
【００６２】
これにより、画素アレイ４における全画素１０のうち、メータの針の表示画素となる画素１０では、液晶領域ＡＲ１で表示動作が行われ、液晶領域ＡＲ２は非表示状態となる。また背景画像となる画素１０では、液晶領域ＡＲ１は非表示状態となり、液晶領域ＡＲ２で表示動作が行われる。
従って動きの速いメータの針は、液晶セルギャップが狭く、液晶の応答性の速い液晶領域ＡＲ１によって十分にスムースな表示が実現される。一方背景画像は、透過率の高い液晶領域ＡＲ２によって表示されることで、画像全体としての輝度は確保される。
【００６３】
＜４．変形例、適用例＞
以上、実施の形態を説明してきたが、上述した液晶表示装置の構成は一例であり、また画素１０の構成も一例である。
図４ではＦＦＳ型の液晶表示装置の例で説明したが、これに限られるものではなく、画素電極と対向電極（共通電極）が液晶層を挟むように配置される構成においても、実施の形態の技術は適用可能である。
【００６４】
また実施の形態では、各画素１０について、１つの走査線ＧＬと、２つの信号線ＳＬｆ、ＳＬｓが配置され、液晶領域ＡＲ１，ＡＲ２に信号線ＳＬｆ、ＳＬｓで異なる画素信号が与えられるものとした。これに対して、図８に示すように、各画素１０について、２つの走査線ＧＬｆ、ＧＬｓと、１つの信号線ＳＬが配置され、液晶領域ＡＲ１，ＡＲ２に対しては信号線ＳＬで時分割的に異なる画素信号が与えられるものとすることもできる。
【００６５】
即ち図８のように、１ラインの画素１０には、液晶領域ＡＲ１側に対応する走査線ＧＬｆと、液晶領域ＡＲ２側に対応する走査線ＧＬｓが設けられている。
走査線ＧＬｆに与えられる走査パルスで、或る１ラインの画素１０の画素トランジスタＴｒ１がオンとされる期間に、当該ラインの各画素１０の液晶領域ＡＲ１のための画素信号を、信号線ＳＬにより与える。また続いて走査線ＧＬｓに与えられる走査パルスで、当該ラインの画素１０の画素トランジスタＴｒ２がオンとされる期間に、当該ラインの各画素１０の液晶領域ＡＲ２のための画素信号を、信号線ＳＬにより与える。
【００６６】
このようにすれば１つの画素１０につき、液晶領域ＡＲ１，ＡＲ２を使い分けた表示を実現できる。
但しこの場合は、ライン単位で液晶領域ＡＲ１側の使用か、液晶領域ＡＲ２側の使用かが決まってしまうので、垂直方向に、高応答性要求画像と、応答性がさほど要求されない画像が分けられて表示されるような表示装置に用いることが適切である。
【００６７】
また画素アレイ４に配列された全ての画素１０ではなく、一部の画素１０を領域分割画素としてもよい。
例えば図９Ａに示すように、画面の周辺部は、画素が分割されていない通常画素を配置する通常画素配置部９１とする。そして画面の中央部を、領域分割画素を配置した領域分割画素配置部９０とする。
また図９Ｂに示すように、画面の上端、下端を、画素が分割されていない通常画素を配置する通常画素配置部９１とする。そして上端、下端以外を、領域分割画素を配置した領域分割画素配置部９０とする。
例えば画面上の表示内容がある程度固定的であり、周辺部や上端、下端には動きのない（少ない）画像のみしか表示されないような場合、図９Ａ、図９Ｂのように、高応答性要求に対応する領域分割画素を配置しなくてもよい。一方で、動きの速い画像を表示する画面中央は、領域分割画素を配置し、高応答性要求に対応することもできる。
もちろん、領域分割画素配置部９０、通常画素配置部９１の配置例は図９の例に限られない。
【００６８】
また上述の実施の形態では、領域分割画素について液晶領域ＡＲ１，ＡＲ２の一方の領域で画像に寄与する表示を実行させ、他方を非表示（画素データＶｂｋに基づく黒画像）としたが、両方の液晶領域ＡＲ１，ＡＲ２で画像内容に寄与する表示を行わせてもよい。
例えば上述のメータの針の画像を構成する画素については、液晶領域ＡＲ１，ＡＲ２の両方で、当該針表示の画素信号を与えてもよい。
その場合、液晶領域ＡＲ１，ＡＲ２について、走査線ＧＬ、信号線ＳＬを共に共通化することも考えられる。つまり、一般的な走査線、信号線の配線において、実施の形態の画素構造を用いることも可能である。
【００６９】
またカラー表示を行う液晶表示装置の例で説明したが、もちろんモノクロ表示、単色表示を行う液晶表示装置でも本開示の技術は適用可能である。
【００７０】
また実施の形態では背景画像データＶＢと動的画像データＶＭを用いる例を述べたが、背景画像データＶＢとは、必ずしも表示画像内容として「背景」となる部分に限られるものではない。比較的動きの少ない画像部分を背景画像データＶＢとして処理すればよい。
【００７１】
また実施の形態では１つの画素１０を２つの液晶領域ＡＲ１，ＡＲ２に分割した例で述べたが、３以上に領域分割した画素構造も考えられる。つまりセルギャップ長が異なる３以上の領域に分割してもよい。
例えば３つに分割する場合、液晶セルギャップが第１のギャップ長とされた第１の液晶領域と、液晶セルギャップが第２のギャップ長とされた第２の液晶領域と、液晶セルギャップが第３のギャップ長とされた第３の液晶領域とを１画素内に設ける。そして第１の領域の液晶セルを駆動する第１の画素回路部と、第２の領域の液晶セルを駆動する第２の画素回路部と、第３の領域の液晶セルを駆動する第３の画素回路部を有するようにする。
この場合、液晶の応答性が早い領域、中くらいの領域、通常の領域が形成されることになり、これらの領域を使い分けて表示することができる。表示内容や液晶表示装置の使用態様により、３以上の領域の使い分けで有効な表示が実現される可能性がある。
【００７２】
本開示の液晶表示装置は、背景画像等の動きがない（或いは少ない）画像部分と、早い動きが求められる画像部分のある画像を表示する装置として有用である。
従って自動車のメータ表示以外にも、各種のメータ表示、イコライザ表示等に適用できる。背景画像と、動きの速い針やバー等の表示が存在するためである。同様に、針と背景の文字盤の表示を行う時計、温度計等の表示、ゲーム背景とゲーム上の主役等の表示を行うゲーム画像の表示などにも好適である。
従って図１２〜図１４に示すように、実施の形態で説明した液晶表示装置については各種の適用例が想定される。
実施の形態の液晶表示装置は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器に適用することが可能である。
【００７３】
（適用例１）
図１０Ａは、実施の形態の液晶表示装置が適用されるテレビジョン装置の外観を表したものである。このテレビジョン装置は、例えば、フロントパネル５１１およびフィルターガラス５１２を含む映像表示画面部５１０等を有しており、この映像表示画面部５１０は、上記実施の形態に係る液晶表示装置により構成されている。
【００７４】
（適用例２）
図１０Ｂは、上記実施の形態の液晶表示装置が適用されるノート型パーソナルコンピュータの外観を表したものである。このノート型パーソナルコンピュータは、例えば、本体５３１、文字等の入力操作のためのキーボード５３２および画像を表示する表示部５３３等を有しており、その表示部５３３は、上記実施の形態に係る液晶表示装置により構成されている。
【００７５】
（適用例３）
図１０Ｃは、上記実施の形態の液晶表示装置が適用されるビデオカメラの外観を表したものである。このビデオカメラは、例えば、本体部５４１、この本体部５４１の前方側面に設けられた被写体撮像用のレンズ５４２、撮像時のスタート／ストップスイッチ５４３および表示部５４４等を有しており、その表示部５４４は、上記実施の形態に係る液晶表示装置により構成されている。
【００７６】
（適用例４）
図１１Ａ、図１１Ｂは、上記実施の形態の液晶表示装置が適用されるデジタルカメラの外観を表したものである。図１１Ａは正面側、図１１Ｂは背面側の外観を示している。このデジタルカメラは、例えば、タッチパネル付きの表示部５２０、撮像レンズ５２１、フラッシュ用の発光部５２３、シャッターボタン５２４等を有しており、その表示部５２０は、上記実施の形態に係る液晶表示装置により構成されている。
【００７７】
（適用例５）
図１２は、上記実施の形態の液晶表示装置が適用される携帯電話機の外観を表したものである。図１２Ａは筐体を開いた状態の操作面及び表示面、図１２Ｂは筐体を閉じた状態の上面側、図１２Ｃは筐体を閉じた状態の底面側をそれぞれ示している。図１２Ｄ、図１２Ｅは筐体を閉じた状態の上面側からと底面側からの斜視図である。
この携帯電話機は、例えば、上側筐体５５０と下側筐体５５１とを連結部（ヒンジ部）５５６で連結したものであり、ディスプレイ５５２、サブディスプレイ５５３、キー操作部５５４、カメラ５５５等を有している。ディスプレイ７４０またはサブディスプレイ７５０は、上記実施の形態に係る液晶表示装置により構成されている。
【００７８】
上述のように本開示の液晶表示装置は、特に低温度環境下でも十分な応答性を発揮できる。従って、上記のパーソナルコンピュータ、ビデオカメラ、デジタルカメラ、携帯電話機など、寒冷地で携帯されて使用されるもの、或いはテレビジョン装置等で寒冷地向けに出荷されるものなどは、本開示の液晶表示装置を用いることが好適となる。
また以上に限らず、ゲーム機器、時計、車載用や携帯用ナビゲーション装置などでも、その表示部として本開示の液晶表示装置を用いることが好適である。
【００７９】
なお本技術は以下のような構成も採ることができる。
（１）複数の液晶画素が行列配置された画素アレイを有し、
上記液晶画素の全部又は一部は、
液晶セルギャップが互いに異なる複数の液晶領域と、
上記複数の液晶領域のそれぞれの液晶セルを駆動する複数の画素回路部と、
を有する領域分割画素とされている液晶表示装置。
（２）上記領域分割画素は、
上記複数の液晶領域として、液晶セルギャップが第１のギャップ長とされた第１の液晶領域と、液晶セルギャップが上記第１の液晶領域よりも長い第２のギャップ長とされた第２の液晶領域とが設けられ、
上記複数の画素回路部として、上記第１の液晶領域の液晶セルを駆動する第１の画素回路部と、上記第２の液晶領域の液晶セルを駆動する第２の画素回路部とを有する上記（１）に記載の液晶表示装置。
（３）上記画素回路部は、
走査線により供給される走査パルスに応じて、信号線からの画素信号の入力を行うトランジスタ素子と、
上記トランジスタ素子を介して画素信号が供給される画素電極と、
を有し、
上記領域分割画素における上記複数の画素回路部のそれぞれのトランジスタ素子に対しては、共通の走査線により走査パルスが与えられ、
上記領域分割画素における上記複数の画素回路部のそれぞれのトランジスタ素子は、異なる信号線からの画素信号を入力する上記（１）又は（２）に記載の液晶表示装置。
（４）上記領域分割画素の上記複数の画素回路部のうちの一の画素回路部に対しては、対応する液晶領域が表示画像の形成画素として駆動される有効画素信号を一の信号線により供給し、他の画素回路部に対しては、対応する液晶領域が非表示状態に駆動される非表示用画素信号を他の信号線により供給する信号線ドライバを備えた上記（１）乃至（３）のいずれかに記載の液晶表示装置。
（５）表示画像データを、表示内容毎の複数の画像データとして処理し、画素毎にいずれかの画像データの画素データを選択し、該選択に応じて、上記領域分割画素毎の上記複数の信号線に対する上記有効画素信号と上記非表示用画素信号の出力を、上記信号線ドライバに実行させる制御部を備えた上記（４）に記載の液晶表示装置。
（６）上記画素回路部は、
走査線により供給される走査パルスに応じて、信号線からの画素信号の入力を行うトランジスタ素子と、
上記トランジスタ素子を介して画素信号が供給される画素電極と、
を有し、
上記領域分割画素における上記第１、第２の画素回路部のそれぞれのトランジスタ素子に対しては、共通の走査線により走査パルスが与えられ、
上記領域分割画素における上記第１の画素回路部のトランジスタ素子は、第１の信号線からの画素信号を入力し、
上記領域分割画素における上記第２の画素回路部のトランジスタ素子は、第２の信号線からの画素信号を入力する上記（２）に記載の液晶表示装置。
（７）上記領域分割画素の上記第１、第２の画素回路部のうちの一方に対しては、上記第１、第２の信号線のうちの一方により、対応する液晶領域が表示画像の形成画素として駆動される有効画素信号を供給し、上記第１、第２の画素回路部のうちの他方に対しては、上記第１、第２の信号線のうちの他方により、対応する液晶領域が非表示状態に駆動される非表示用画素信号を供給する信号線ドライバを備えた上記（６）に記載の液晶表示装置。
（８）表示画像データを、背景画像データと動的画像データとして処理し、画素毎に背景画像データと動的画像データのいずれかの画像データの画素データを選択し、
上記動的画像データの画素データが選択された画素については、上記信号線ドライバに、対応する領域分割画素に対して上記第１の信号線で、選択された画素データに基づく上記有効画素信号を出力させるとともに、上記第２の信号線で、上記非表示用画素信号を出力させ、
上記背景画像データの画素データが選択された画素については、上記信号線ドライバに、対応する領域分割画素に対して上記第１の信号線で、上記非表示用画素信号を出力させるとともに、上記第２の信号線で、選択された画素データに基づく上記有効画素信号を出力させる表示駆動制御部を備えた上記（７）に記載の液晶表示装置。
【符号の説明】
【００８０】
１  コントローラ、２  信号線ドライバ、３  走査線ドライバ、４  画素アレイ、１０  画素、２３  共通電極、２９−１，２９−２  画素電極、４０  液晶層、４５  透過膜、ＳＬ，ＳＬｆ，ＳＬｓ  信号線、ＧＬ  走査線
【図１】
2013190516.tif 000003
【図２】
2013190516.tif 000004
【図３】
2013190516.tif 000005
【図４】
2013190516.tif 000006
【図５】
2013190516.tif 000007
【図６】
2013190516.tif 000008
【図７】
2013190516.tif 000009
【図８】
2013190516.tif 000010
【図９】
2013190516.tif 000011
【図１０】
2013190516.tif 000012
【図１１】
2013190516.tif 000013
【図１２】
2013190516.tif 000014